(57)【要約】【課題】  頭皮と頭部接触部を密着させながら育毛用シャワーヘッドの有するカップを押圧または吸引させることによって、カップ内部空間に圧力の増減を生み、その圧力差の与える影響として、発毛（育毛）促進効果や脱毛防止効果のある育毛用シャワーヘッドを提供する。【解決手段】  通水部と下部開口部を有する気密性の高いゴム材又は軟質樹脂等の弾性体からなるカップの上部に中空菅を設け、中空菅を通して通水部から水または湯がカップ内部空間に吐出するようにし、頭皮と頭部接触部を密着させながらカップを押圧または吸引することによって、カップ内部空間に圧力の増減を生み、その圧力差によって発毛（育毛）促進効果や脱毛防止効果を生じさせることを特徴とする育毛用シャワーヘッド。または中空菅及び通水部の内側からカップ内部空間にかけて導水菅と散水ノズルからなるシャワーノズルを設け、中空菅を通して水または湯がシャワーノズルからカップ内部空間に散水できるようにした育毛用シャワーヘッド。【選択図】  図３
2007105421.tif 000002
【特許請求の範囲】
【請求項１】
通水部と下部開口部を有する気密性の高いゴム材又は軟質樹脂等の弾性体からなるカップの上部に中空菅を設け、中空菅を通して通水部から水または湯が吐出するようにし、頭皮と頭部接触部を密着させながらカップを押圧または吸引することによって、カップ内部空間に圧力の増減を生み、その圧力差によって発毛（育毛）促進効果や脱毛防止効果を生じさせることを特徴とする育毛用シャワーヘッド。
【請求項２】
中空菅及び通水部内側からカップ内部空間上方にかけて導水菅と散水ノズルからなるシャワーノズルを設け、中空菅を通して水または湯がシャワーノズルから散水できるようにした請求項１の育毛用シャワーヘッド。
【発明の詳細な説明】
【技術分野】
【０００１】  本発明は、発毛（育毛）促進効果や脱毛防止効果のある育毛用シャワーヘッドに関するものである。
【背景技術】
【０００２】  従来、シャワーヘッドとして、頭皮のマッサージや洗浄効果の向上を目的に散水部に突起物を設けたシャワーヘッドがある（特許文献１乃至特許文献４参照）。
これらのシャワーヘッドは、シャワーヘッドの散水部にピン状の突起物を多数設けることにより、櫛の用途を併せ持たせ、頭髪をとかしながら洗浄可能とすることで洗浄効果を高め、またピン状突起物の尖端で頭皮に刺激を与えることで、マッサージ効果も得ることが可能なものとする発明が知られている。
【特許文献１】特開平９−３２２９２６号公報
【特許文献２】特開平９−１２２１９２号公報
【特許文献３】登録実用新案第３０２３６１０号公報
【特許文献４】登録実用新案第３０９０１９４号公報
【発明の開示】
【発明が解決しようとする課題】
【０００３】  そのために、次のような問題点があった。
（イ）  上記の特許文献１乃至４に示されているような従来のシャワーヘッドの場合、          ピン状の突起を設けるものであったために、頭皮への刺激が強すぎて頭皮や毛          根を損傷し、抜け毛を誘発・促進する恐れがあり、マッサージ効果や育毛促進          や脱毛防止の効果の点で  十分といえるものではなかった。
（ロ）  上記の特許文献１乃至４に示されているような従来のシャワーヘッドの場合、          ピン状の突起物を設けるため、破損しやすく、耐久性を損ねている。
（ハ）  上記の特許文献４に示されているシャワーヘッドにおいては、突起物を二重構          造としているため、構造が複雑となり、製造コストが高くなる。
【課題を解決するための手段】
【０００４】  育毛用シャワーヘッドにおいては通水部と下部開口部を有する気密性の高いゴム材または軟質樹脂等の弾性体からなるカップ上部に中空菅を設け、中空菅を通して通水部から水または湯がカップ内部空間へ吐出するようにし、頭皮と頭部接触部を密着させながらカップを押圧または吸引させることによってカップ内部空間に圧力の増減を生み、その圧力差によって発毛（育毛）促進効果や脱毛防止効果を生じさせることを特徴とする育毛用シャワーヘッド。または中空菅及び通水部内側からカップ内部空間上方にかけて導水菅と複数の散水口を有する散水ノズルからなるシャワーノズルを設け、中空菅を通して水または湯をシャワーノズルからカップ内部空間へ散水できるようにした育毛用シャワーヘッド。
【発明の効果】
【０００５】  頭皮と頭部接触部を密着させながら育毛用シャワーヘッドの有するカップを押圧または吸引させることによって、カップ内部空間に圧力の増減を生み、その圧力差の与える影響として、頭皮の血行を促進し、毛穴の汚れの排出、水または湯の流れによる頭皮及び毛の洗浄、頭皮の上下動による頭皮の軟化及びマッサージがもたらされる。
【発明を実施するための最良の形態】
【０００６】  以下、本発明の好適な実施の形態について添付図面を参照し、詳細に説明する。【０００７】  図１は、育毛用シャワーヘッドの外観図を示すものである。また図２及び図３は育毛用シャワーヘッドの一部を示す部分拡大断面図である。図４または図５は本発明の一部の実施例を示す部分拡大断面図であり、図６及び図７は本発明の方法の作用を説明するための毛穴を示す模式断面図である。【０００８】    図２に示している請求項１における育毛用シャワーヘッドにおいて説明する。
（イ）  気密性の高いゴム材または軟質樹脂等の弾性体からなるカップ（１）の形状は          伏せた状態の椀形をしており、カップ（１）内部に広く空間を設け、これをカ          ップ内部空間（８）とする。
（ロ）  カップ（１）上部に水または湯（１４）を通すことのできる管を設け、これを          中空菅（２）とする。カップ（１）及び中空菅（２）接合部分がかさなりあう          ように設ける。
（ハ）  カップ内部空間（８）の中心から上方にむけて、中空菅（２）を通じて水また          は湯（１４）をカップ内部空間（８）に吐出するための穴を設け、これを通水          部（１１）とする。
（ニ）  カップ内部空間（８）から下方にむけて広く開口部を設け、これを下部開口部          （１２）とする。
（ホ）  カップ（１）の形状である伏せた椀形の下方のふちにあたり、使用時に頭皮（          １６）に密着する部分を頭部接触部（９）とする。
（ヘ）  弁（４）はカップ（１）の形状である伏せた椀形の下方のふちにあたる部分の          頭部接触部（９）からカップ内部空間（８）内の中心へ斜め上方に伸びており          、頭部接触部（９）を有するカップ（１）のふちの内円周にそって設けられ、          形状は薄く、長さはカップ（１）の大きさと比例する。【０００９】  図３に示している請求項２における育毛用シャワーヘッドにおいて説明する。
請求項１の育毛シャワーヘッドの有する中空菅（２）及び通水部（１１）内側からカップ内部空間（８）上方にかけて、水または湯（１４）を中空菅（２）から通すための導水菅（７）と複数の散水口（６）を有する散水ノズル（５）からなるシャワーノズル（１０）を設けた請求項１の育毛用シャワーヘッドである。【００１０】  図１〜図５の示す育毛用シャワーヘッドの有するカップ（１）の形状においては、頭皮（１６）と頭部接触部（９）を密着させながらカップ（１）を押圧または吸引させることにより、カップ内部空間（８）に効率的に圧力の増減を生じさせることが可能であるものとする。【００１１】  上記の育毛用シャワーヘッドにおいては、中空菅（２）及び通水部（１１）を通じて水または湯（１４）を吐出、または水または湯（１４）を中空菅（２）及びシャワーノズル（１０）を通じてカップ内部空間（８）に散水できるものとする。【００１２】  そしてカップ（１）下部に気密性を保つための弁（４）、頭部接触部（９）及び頭皮（１６）に接触させることのできる下部開口部（１２）を有すことのできる形状であれば図１〜図５に示された形状でなくてもよい。材質においてはカップ（１）をもって頭皮（１６）と頭部接触部（９）を密着させながらカップ内部空間（８）に圧力の増減を生じさせる必要があるため、気密性、弾性の高いゴム材または軟質樹脂等の弾性体がのぞましい。【００１３】  育毛シャワーヘッドにおいては、図１が示すように中空菅（２）の形状は湾曲しているが、本発明実施の形態の一例であり、使用者が本発明を保持しやすい形状であれば、形状は特に限られない。また中空菅（２）の材質においては耐熱性、耐水性、安全性等の観点から表面潤滑性のある強度の高い樹脂であることがのぞましい。【００１４】  そして中空菅（２）下部をグリップ（３）としているが、使用者が保持しやすい中空菅（２）の形状であれば、グリップ（３）の有無はとわない。だが使用者が手で本発明を保持するのであれば、頭皮（１６）と頭部接触部（９）を密着させながらカップ（１）を押圧または吸引する必要があり、力を効率的にカップ（１）に伝えるためグリップ（３）が有ることがのぞましい。【００１５】  育毛シャワーヘッドにおいては、図２が示すように、カップ（１）は下部に頭部接触部（９）と弁（４）を有している。頭部接触部（９）の形状は頭皮（１６）と頭部接触部（９）を密着させながらカップ内部空間（８）の気密性を保ちやすい形状がのぞましい。【００１６】  また弁（４）においては、頭皮（１６）と頭部接触部（９）を密着させながらカップ内部空間（８）の気密性をよりよく保つために補助的に用いられるものであって、有していることが好ましい。また頭部接触部（９）と弁（４）の材質においてはカップ（１）の材質と同等もしくはそれ以上の気密性や弾性のある材質がのぞましく、十分な強度が得られるならばカップ（１）と接合するものとして構わないが、カップ（１）と頭部接触部（９）及び弁（４）を一体成形とすることが強度や耐久性の面でものぞましい。【００１７】  育毛シャワーヘッドにおいては、中空菅（２）とカップ（１）の接合部は、水または湯（１４）がもれないように液密に接合できる形態となっているこ��がのぞましい。または、中空菅（２）とカップ（１）、及びシャワーノズル（１０）の接合部は、水または湯（１４）がもれないように液密に接合できる形態にすることがのぞましい．。【００１８】  請求項２における育毛シャワーヘッドにおいては図３が示すように、シヤワーノズル（１０）は導水菅（７）と複数の散水口（６）を有する散水ノズル（５）からなっており、これらの材質においては耐錆性、耐熱性、耐水性、安全性等や強度においてもステンレスや合成樹脂等がのぞましい。【００１９】  上記の育毛シャワーヘッドにおいては導水菅（７）と複数の散水口（６）を有する散水ノズル（５）の接合部は様々な接合方法が考えられるが、通常使用する上で外れないようになっていることがのぞましい。また導水菅（７）と散水ノズル（５）を一体成形し、シャワーノズル（１０）としても構わない。【００２０】  請求項２における育毛シャワーヘッドにおいては、図３が示すように、シャワーノズル（１０）は通常のシャワーヘッドと同等の散水口（６）を有しており、通常のシャワーヘッドとしての使用を可能としているが、本発明の効果である発毛（育毛）促進効果や脱毛防止効果を生じさせる上においては関連がなく、請求項１における育毛シャワーヘッドのように、シャワーノズル（１０）が無くとも、中空菅（２）及び通水部（１１）を通じてカップ内部空間（８）に水または湯（１４）を吐出できる構造を有していれば、シャワーノズル（１０）の有無はこれを問わないが、有していることがのぞましい。【００２１】  次に本発明である育毛用シャワーヘッドの使用方法を説明する。図４及び図５は請求項１における実施例であるが、請求項２における実施例において生じる状態と同等とする。【００２２】  請求項１における育毛用シャワーヘッドを使用するときは、上記の育毛用シャワーヘッドの中空菅（２）及び通水部（１１）を通じてカップ内部空間（８）に水または湯（１４）を吐出しながらグリップ（３）を握り、頭部接触部（９）を頭部（１５）に接触させつつ、グリップ（３）を使用し、上記の育毛シャワーヘッド全体を上下動させることによってカップ（１）を押圧または吸引し、それにより生じるカップ内部空間（８）の増減する空気（１３）や水または湯（１４）の圧力によって図４と図５に示される状態を交互に作り出すことができる。【００２３】  請求項２における育毛用シャワーヘッドを使用するときは、上記の育毛用シャワーヘッドの有する中空菅（２）及びシャワーノズル（１０）を通じてカップ内部空間（８）に水または湯（１４）を散水しながらグリップ（３）を握り、頭部接触部（９）を頭部（１５）に接触させつつ、グリップ（３）を使用し、上記の育毛シャワーヘッド全体を上下動させることによってカップ（１）を押圧または吸引し、それにより生じるカップ内部空間（８）の増減する空気（１３）や水または湯（１４）の圧力によって図４と図５に示される状態を交互に作り出すことができる。【００２４】  図４に示されるように、育毛用シャワーヘッド全体が下方に引かれるときは、カップ内部空間（８）が圧縮され、カップ内部空間（８）内の空気（１３）及び水または湯（１４）が増圧される。そして、弁（４）及びカップ内部空間（８）に接する頭部（１５）、頭皮（１６）、カップ内部空間（８）内の水または湯（１４）がカップ内部空間（８）の空気（１３）の増圧により下方に押され、また図６に示されるように毛穴（１８）が開く。【００２５】  図４には示されていないが、育毛用シヤワーヘッド全体が下方に引かれるときは、カップ内部空間（８）内の増圧により少量の水または湯（１４）が頭部接触部（９）と頭部（１５）の間から本発明外部に少量こぼれることがあるが、育毛用シャワーヘッドを使用中に通水部（１１）から水または湯（１４）を吐出及び、中空菅（２）及び通水部（１１）内側からカップ内部空間（８）にかけて設けたシャワーノズル（１０）から水または湯（１４）を散水することにより、カップ内部空間（８）の下部に水または湯（１４）が常に供給されている状態になり、カップ内部空間（８）の気密性が保ちやすくなるので、育毛用シャワーヘッドの効果を著しく損ねるものではない。【００２６】  そして、図５に示されるように、育毛用シャワーヘッド全体が上方に押されるときは、カップ内部空間（８）が伸張され、カップ内部空間（８）の空気（１３）及び水または湯（１４）が減圧される。そして、弁（４）及びカップ内部空間（８）に接する頭部（１５）、頭皮（１６）、カップ内部空間（８）の水または湯（１４）がカップ内部空間（８）の空気（１３）の減圧により上方に引かれ、そして図７に示されるように毛穴（１８）が閉まることにより、毛穴の汚れ（１９）が毛穴（１８）から押し出される。【００２７】  図５には示されていないが、育毛用シャワーヘッド全体が上方に押されるときは、カップ内部空間（８）内の減圧により空気（１３）が頭部接触部（９）と頭部（１５）の間からカップ内部空間（８）に本発明外部から少量入ってくることがあるが、本発明の効果を著しく損ねるものではない。【００２８】  図４と図５の状態を交互に生じさせることで、カップ内部空間（８）に圧力の増減を生じさせ、その圧力差の与える影響として、頭皮（１６）の血行を促進し毛穴の汚れ（１９）の排出、水または湯（１４）の流れによる頭皮（１６）及び毛（１７）の洗浄、頭皮（１６）の上下動による頭皮（１６）の軟化及びマッサージがもたらされる。以上の効果をもって発毛（育毛）促進効果や脱毛防止効果とする。
【図面の簡単な説明】
【００２９】
【図１】本発明の外観図
【図２】本発明の一部を示す部分拡大断面図
【図３】本発明の一部を示す部分拡大断面図
【図４】本発明の一部の実施例を示す部分拡大断面図
【図５】本発明の一部の実施例を示す部分拡大断面図
【図６】本発明の方法の作用を説明するための毛穴を示す部分断面図
【図７】本発明の方法の作用を説明するための毛穴を示す部分断面図
【符号の説明】
【００３０】１    カップ
２    中空菅
３    グリップ
４    弁
５    散水ノズル
６    散水口
７    導水菅
８    カップ内部空間
９    頭部接触部
１０  シャワーノズル
１１  通水部
１２  下部開口部
１３  空気
１４  水または湯
１５  頭部
１６  頭皮
１７  毛
１８  毛穴
１９  毛穴の汚れ
【図１】
2007105421.tif 000003
【図２】
2007105421.tif 000004
【図３】
2007105421.tif 000005
【図４】
2007105421.tif 000006
【図５】
2007105421.tif 000007
【図６】
2007105421.tif 000008
【図７】
2007105421.tif 000009